(57)【要約】【課題】コストを上げることなく、組立て分解が容易で修理が簡便な、作業性の良いファインダ装置を提供する。【解決手段】ファインダ上面を覆うファインダカバーにファインダレンズを地板に固定するファインダレンズ固定手段を一体で具備させ、部品数を増加することなく接着作業無しにファインダレンズを組立て可能にすることで、ファインダの調整効率を上げ、ファインダレンズの組見立て分解を容易にし作業性を向上させた。【選択図】        図１
2006047825.tif 000002
【特許請求の範囲】
【請求項１】
被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成しファインダ光学系の端部に配置されるファインダレンズを有し、前記ファインダ光学系封鎖手段には前記ファインダレンズを前記ファインダ光学系保持手段に対し光軸方向に保持するファインダレンズ保持手段を具備することを特徴とするファインダ装置。
【請求項２】
被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成するプリズムレンズと、前記ファインダ光学系の一部を構成しファインダ光学系の端部に配置されるファインダレンズを有し、前記ファインダ光学系封鎖手段には前記プリズムレンズを前記ファインダ光学系保持手段に対し保持するプリズムレンズ保持手段及び前記ファインダレンズを前記ファインダ光学系保持手段に対し光軸方向に保持するファインダレンズ保持手段を具備することを特徴とするファインダ装置。
【請求項３】
被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成し前後動可能な複数の変倍光学系と、前記変倍光学系を光軸方向に支持するファインダガイド軸と、前記ファインダ光学系の一部を構成しファインダ光学系の端部に配置されるファインダレンズを有し、前記ファインダ光学系封鎖手段には前記ファインダガイド軸を前記ファインダ光学系保持手段に対し保持するファインダガイド軸保持手段及び前記ファインダレンズを前記ファインダ光学系保持手段に対し光軸方向に保持するファインダレンズ保持手段を具備することを特徴とするファインダ装置。
【請求項４】
請求項１から３いずれかにおいて、ファインダレンズはファインダ光学系の視度を調整する視度補正レンズであることを特徴とするファインダ装置。
【請求項５】
請求項１から３いずれかにおいて、前記ファインダレンズはファインダ光学系の最前部に配置されることを特徴とするファインダ装置。
【請求項６】
請求項１から５いずれかにおいて、ファインダレンズ保持手段によるファインダレンズの保持力は、ファインダレンズの自重の１００倍以下であることを特徴とするファインダ装置。
【請求項７】
請求項１から６いずれかにおいて、ファインダレンズ保持手段によるファインダレンズの保持力は、ファインダレンズの自重の３０倍以上であることを特徴とするファインダ装置。
【発明の詳細な説明】
【技術分野】
【０００１】
本発明は、デジタルカメラ及びフィルムカメラまたはビデオカメラ等被写体の撮影範囲を確認するファインダ装置の構造に関する。
【背景技術】
【０００２】
従来からある、フィルムを使用するフィルムカメラでは、撮影する範囲を決める場合に光学ファインダを使用して、撮影者がファインダを覗くことで、意図する被写体を決定していた。また近年では、フィルムを使用せずに画像をメモリに取り込むことができるデジタルカメラが急速に普及しているが、液晶画面で被写体の撮影範囲を決定できるようになっているものが多数ある。しかし、液晶を常に使用状態にすると、デジタルカメラ本体の電池の消耗が激しくなり、使用時間が短くなるという問題があり、デジタルカメラにも光学ファインダを搭載するのが一般的である。
【０００３】
従来では光学ファインダを構成する物体側最前面のレンズが、そのファインダの視度を決定する場合が多くあった。このとき、レンズを交換しながら適正な視度に合うように選択を行い、選択後接着によってファインダの地板に固定していた。
【特許文献１】特開２００４−５４０１１号公報
【発明の開示】
【発明が解決しようとする課題】
【０００４】
従来の構成では、視度を決定するためにレンズを取り外ししながら検討をするわけであるが、選択が終了するまで、固定することができず、特別な工具を使用する必要があった。また、レンズを固定した後で、内部へのゴミやレンズに傷がついたりした場合、レンズを取り外すのに大変な手間がかかり、最悪の場合廃棄処分になる場合もあった。
【０００５】
また接着固定をすると、その接着剤の乾燥時間が必要になり工程時間が長くなってコストがあがったり、接着剤が他の部分に付着する不具合が発生するということがある。
【０００６】
そこで、レンズを簡便に取り外し、接着固定を廃止したいという要望がある。
【課題を解決するための手段】
【０００７】
（請求項１）
上記の目的を達成するために本発明の第１のファインダ装置は、被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成しファインダ光学系の端部に配置されるファインダレンズを有し、前記ファインダ光学系封鎖手段には前記ファインダレンズを前記ファインダ光学系保持手段に対し光軸方向に保持するファインダレンズ保持手段を具備することで、特別な部品を追加することなくファインダレンズを簡便に固定することができるようになっている。
【０００８】
（請求項２）
上記の目的を達成するために本発明の第２のファインダ装置は、被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成するプリズムレンズと、前記ファインダ光学系の一部を構成しファインダ光学系の端部に配置されるファインダレンズを有し、前記ファインダ光学系封鎖手段には前記プリズムレンズを前記ファインダ光学系保持手段に対し保持するプリズムレンズ保持手段及び前記ファインダレンズを前記ファインダ光学系保持手段に対し光軸方向に保持するファインダレンズ保持手段を具備することで、特別な部品を追加することなくファインダレンズおよびプリズムレンズを簡便に固定することができるようになっている。
【０００９】
（請求項３）
上記の目的を達成するために本発明の第３のファインダ装置は、被写体を観察するためのファインダ光学系と、前記ファインダ光学系を保持するファインダ光学系保持手段と、前記ファインダ光学系保持手段の開口部を塞ぐファインダ光学系封鎖手段と、前記ファインダ光学系の一部を構成し前後動可能な複数の変倍光学系と、前記変倍光学系を光軸方向に支持するガイド軸と、前記ファインダ光学系の一部を構成しファインダ光学系の端部に配置されるファインダレンズを有し、前記ファインダ光学系封鎖手段には前記ガイド軸を前記ファインダ光学系保持手段に対し保持するガイド軸保持手段及び前記ファインダレンズを前記ファインダ光学系保持手段に対し光軸方向に保持するファインダレンズ保持手段を具備することで、特別な部品を追加することなくファインダレンズ及びファインダガイド軸を簡便に固定することができるようになっている。
【００１０】
（請求項４）
上記の目的を達成するために本発明の第４のファインダ装置は、請求項１から３いずれかにおいて、ファインダレンズはファインダ光学系の視度を調整する視度補正レンズであるので、視度調整時においても、簡便に取り外しができるようになっている。
【００１１】
（請求項５）
上記の目的を達成するために本発明の第５のファインダ装置は、請求項１から４いずれかにおいて、前記ファインダレンズはファインダ光学系の最前部に配置されることにより、簡便に取り外しができるようになっている。
【００１２】
（請求項６）
上記の目的を達成するために本発明の第６のファインダ装置は、請求項１から５いずれかにおいて、ファインダレンズ保持手段によるファインダレンズの保持力は、ファインダレンズの自重の１００倍以下であれば、ファインダレンズに強い応力がかかることなく、視度が狂ったり、ゆがみが生じたりすること無く、良好なファインダを提供することができる。
【００１３】
（請求項７）
上記の目的を達成するために本発明の第７のファインダ装置は、請求項１から６いずれかにおいて、ファインダレンズ保持手段によるファインダレンズの保持力は、ファインダレンズの自重の３０倍以上であれば、外部からの強い衝撃が生じた場合でもファインダレンズが外れることなく、しっかり固定することができる。
【発明の効果】
【００１４】
（請求項１）
本発明は、上記構成としたので、請求項１に記載の発明では、ファインダ光学系を保持するファインダ地板の開口部をふさぐファインダカバーに、ファインダの端にあるレンズを固定するための保持手段を設け、光軸方向にレンズをファインダ地板に固定することで、特別な部品を使用せず、取り外し自由なファインダ光学ユニットを構成することができる。
【００１５】
（請求項２）
本発明は、上記構成としたので、請求項２に記載の発明では、ファインダ光学系を保持するファインダ地板の開口部をふさぐファインダカバーに、ファインダの端にあるレンズを固定するための保持手段を設け、かつファインダ光学系を構成するプリズムをファインダ地板に保持する手段を一体的に設けたことで、特別な部品を追加することなく、レンズを取り外し自由なファインダ光学ユニットを構成することができる。
【００１６】
（請求項３）
本発明は、上記構成としたので、請求項３に記載の発明では、ファインダ光学系を保持するファインダ地板の開口部をふさぐファインダカバーに、ファインダの端にあるレンズを固定するための保持手段を設け、かつファインダ光学系を構成する複数の変倍レンズを光軸方向にガイドするガイド軸をファインダ地板に保持する手段を一体的に設けたことで、特別な部品を追加することなく、レンズを取り外し自由なファインダ光学ユニットを構成することができる。
【００１７】
（請求項４）
本発明は、上記構成としたので、請求項４に記載の発明では、請求項１から３いずれかで示したファインダ光学系の端部のレンズは視度調整用レンズであれば、調整時に組立てや分解を容易に行うことができるようになる。
【００１８】
（請求項５）
本発明は、上記構成としたので、請求項５に記載の発明では、ファインダレンズは請求項１から４で示したファインダ光学系の最前部に配置されている。
【００１９】
（請求項６）
本発明は、上記構成としたので、請求項６に記載の発明では、請求項１から５いずれかにおいて、ファインダレンズ保持手段によるファインダレンズの保持力は、ファインダレンズの自重の１００倍以下にすることで、ファインダレンズの応力によるひずみが大きく生じることなく、ファインダの視度変化を最小におさえ、良好な機能を維持することができる。
【００２０】
（請求項７）
本発明は、上記構成としたので、請求項７に記載の発明では、請求項１から６いずれかにおいて、ファインダレンズ保持手段によるファインダレンズの保持力を、ファインダレンズの自重の３０倍以上にすることで、ファインダを搭載する装置に対して強い衝撃が加わったとしても、ファインダレンズは保持を維持しつづけることができる。
【発明を実施するための最良の形態】
【００２１】
以下、本発明を図示の実施例に基づいて詳細に説明する。
【実施例】
【００２２】
図５から図９には、本形態に係る絞り構造を備える撮影装置としてデジタルカメラが示されている。本実施例で示すデジタルカメラ２０はカメラ前面の撮影レンズ鏡筒前面を大きなバリア２３で覆い、使用時はバリアを横にスライドすることで撮影レンズ鏡筒１５を開放するスライドバリアタイプである。
【００２３】
図５は当該デジタルカメラ２０のバリア２３をカメラ本体に対して開成状態を示した外観斜視図である。図６は当該デジタルカメラ２０のバリア２３をカメラ本体に対して閉成状態を示した外観斜視図である。
【００２４】
図７は上面図を示しており、図８は底面図を示しており、図９は背面図を示している。
【００２５】
図１０には当該デジタルカメラ２０の腰部構成を示している。
【００２６】
本形態のデジタルカメラの正面には被写体の構図を決めるファインダ１９、測光測距を行う測光測距センサ１８、赤目ランプ２１、ストロボ２２、第一レンズ群１５ａが配置されている撮影レンズ鏡筒手段１５が構成されている。
【００２７】
上面にはレリーズボタン１６、ストロボ発光モードボタン１７、側面にはストラップ保持手段２５があり、底面には三脚取り付け部２６、メモリーカードドライブ４４及びバッテリー挿入部（不図示）５０が内部に具備されているカードバッテリーカバー２７、外部入出力端子取付部２４が配置されている。
【００２８】
背面には操作ボタン２９、ＬＣＤより成るディスプレイ３０、ズームボタン２８、ファインダ接眼部１９ａが配置されている。
【００２９】
操作ボタン２９によりデジタルカメラの動作モード、例えば撮影モード、再生モード、動画撮影モード等の選択を行う。
【００３０】
ディスプレイ３０は、画像表示手段であり、メモリ４２に保存された画像データやメモリーカードから読み込んだ画像データを画面上に表示する。また、モードを選択すると複数の撮影データを縮小して画面表示したりすることもできる。
【００３１】
制御部はＣＰＵ４８、ＲＯＭ４７、ＲＡＭ４９で構成され、バス４６を介してレリーズボタン１６、操作ボタン２９、ディスプレイ３０、メモリ４２、メモリーカードドライブ４４等の各種構成要素が接続されている。
【００３２】
バス４６を介して制御系と接続する駆動回路４５には、ズームモータ駆動手段３１、フォーカスモータ駆動手段３３、シャッタ駆動手段３５、測光測距センサ１８、ＣＣＤやＣＭＯＳ等の撮像デバイス３９、ストロボ２２が接続されており、制御系からの信号により各々の駆動を制御することになる。
【００３３】
ＲＯＭ４７には上述の各機能構成要素を制御するプログラムが記憶されている。ＲＡＭ４９には各制御プログラムに必要なデータが記憶されている。
【００３４】
以上のように本発明の第一の実施例は構成されているが、使用者がバリア２３をスライドさせてそれに連動する電源ボタンをＯＦＦからＯＮにすると、ＣＰＵ４８はＲＯＭ４７から必要な制御プログラムを読み出して初期動作を開始する。つまりバリア開動作を行った後、撮影レンズ鏡筒を所定の撮影可能領域に移動させ、撮影スタンバイ状態になる。
【００３５】
撮影を行うためにレリーズボタン１６を押すと、測光測距センサ１８により被写体の明るさを検知し、その測光値に基づき絞り値やシャッタスピード、またストロボを発光するかどうかを判断する。このとき、ある一定値より被写体光量が大きいと判断した場合、絞り駆動手段３７へ信号を送り、絞り手段３６を動作させ、デジタルカメラの入射光量を減少させる。また、あらかじめ操作ボタン２９によって使用者がストロボを強制的に発光させるか、発光させないかを選択することもできる。次に測距を行い、被写体との距離を測定してフォーカスモータ駆動手段３３を駆動することにより所定のフォーカス位置へフォーカス手段３２を移動させる。次にシャッタ手段３４の開閉を行い、所望の画像を撮像デバイス３９に取り込む。
【００３６】
撮像デバイス３９には、露光制御値に基づいて入射した光の光量に応じた電荷が蓄積され、その電荷が画像信号となり、アナログ信号処理手段３８へと出力される。
【００３７】
アナログ信号処理手段３８では、取り込まれた画像データにアナログ処理を施し、Ａ／Ｄ変換部４０に出力する。Ａ／Ｄ変換部４０では取り込まれたアナログデータをデジタルデータに変換する。このデジタルデータをデジタル信号処理手段４１に出力し、ここでデジタルデータの処理を行う。最終的にデジタルデータはメモリ４２に記憶されることになる。
【００３８】
メモリ４２に記憶されたデータは操作ボタン２９の操作によって圧縮伸張手段４３によりＪＰＥＧやＴＩＦＦ等の圧縮加工等を施しメモリーカードに出力され記憶される。
【００３９】
またメモリ４２を持たないデジタルカメラの場合デジタル信号処理手段で処理されたデジタルデータを圧縮伸張手段４３に出力し、メモリーカードドライブ４４へ記憶させることになる。
【００４０】
メモリ４２に記憶された画像データやメモリーカードドライブ４４に記憶されている画像データを圧縮伸張手段４３によって伸張処理を行い、その画像データをバス４６を介してディスプレイ３０に表示させることができる。このディスプレイ３０上のデータを使用者が見ることで、その画像が不必要であると判断すると使用者は操作ボタン２９の操作によって消去することができる。
【００４１】
背面にはズームボタン２８が配置されており、ズームボタン２８を操作することにより駆動回路４５を介してズームモータ駆動手段３１を制御することにより撮影レンズ鏡筒１５をレンズの光軸方向に移動させる。また、ディスプレイ３０上に表示されている記憶画像をズームボタン２８の操作で拡大及び縮小、いわゆるデジタルズームを行うことができる。
【００４２】
次に、本形態に係るデジタルカメラ２０に備えられたファインダ装置１９の構成について説明する。本実施例のデジタルカメラの、ファインダ装置の概略斜視図を図１に示す。
【００４３】
図２に本ファインダのレンズ構成をあらわす上面図を示す。図３には本ファインダの構成を示す分解斜視図を示す。光学の構成は、まず使用者がファインダ接眼レンズ１３を覗くことになる。そのファインダ接眼レンズ１３の前方にプリズムレンズ１１がある。プリズムレンズ１１の前方にファインダの視野範囲を決定するファインダ視野マスク１２があり、その先にプリズムレンズ１０、ファインダレンズ８、ファインダレンズ７、ファインダレンズ２の順番で構成されている。本ファインダは被写体像を拡大、及び縮小して見ることができるズームファインダであるので、見える像を変倍させるときは、ファインダレンズ７、ファインダレンズ８を光軸方向に前後させる。ファインダレンズ７にはマスク６が取り付けられており、これにより有害な光線が視界に入らないようにしている。
【００４４】
ファインダ接眼レンズ１３及びプリズムレンズ１１は接眼レンズ保持手段５に固定されている。その他の全てのレンズはファインダ光学系保持手段１に保持されており、ファインダレンズ７およびファインダレンズ８はファインダガイド軸４によって光軸方向にガイドされている。ファインダレンズ７およびファインダレンズ８にはお互いを密着方向に付勢するファインダばね９が取り付けられており、このばね力でファインダ変倍手段５１（不図示）にそれぞれのレンズを連動させている。また、前記ファインダガイド軸４は図１に示すように前方より差し込む形になっており、抜けないように組立て後接着固定する。ファインダ光学系保持手段１に全てのレンズを組み込んだ後ファインダ光学系封鎖手段３により、上方を塞ぐ。このときファインダ光学封鎖手段３に一体で構成されている、プリズムレンズ１０固定手段３ｂによりプリズムレンズ１０をファインダ光学系保持手段１へ押圧固定すると共に、ファインダレンズ２固定手段３ａによりファインダレンズ２をファインダ光学系保持手段１に対して光軸方向に押圧固定する。
【００４５】
ファインダ光学系保持手段１と接眼レンズ保持手段５はそれぞれにレンズが保持された後、ひっかけ固定する。
【００４６】
図４には第二の実施例の構成をあらわす斜視図を示す。この場合、ファインダ光学封鎖手段１４にはファインダレンズ２をファインダ光学保持手段１に対して保持するファインダレンズ２保持手段１４ａが具備されており、ファインダレンズ２に具備されるのファインダレンズ非保持手段２ａを押圧することにより固定される。また、本実施例ではファインダ光学封鎖手段１４には、プリズムレンズ１０をファインダ光学系保持手段１へ押圧固定するプリズムレンズ１０固定手段および、ファインダ変倍光学系の一部であるファインダレンズ７およびファインダレンズ８を光軸方向に軸支するファインダガイド軸４がファインダ光学保持手段１より、外れることを防止するファインダガイド軸保持手段１４ｂが一体で具備されている。このように少ない部品でそれぞれの部品を保持することができるので、コストを上げることなく、さらに分解組立てを簡便に行うことができる。
【００４７】
図１の実施例及び図４の実施例の場合でも、ファインダレンズ２保持手段がファインダレンズ２を押す力は強すぎても、弱すぎても良くない。強すぎる場合は、その押圧力によりファインダレンズ２のレンズ面がゆがみ、ファインダ像が悪くなったり、視度が狂ったりする。また、弱すぎるとカメラに対する軽い衝撃によってファインダレンズ２が外れてしまう虞がある。ファインダレンズの自重の３０倍から１００倍の間が望ましい。
【００４８】
従来ではファインダはレンズに傷がついたり内部が汚れていたりした場合、接着固定したファインダレンズ２を溶剤等を使用して取り外し、新しいファインダレンズ２を交換するという作業が必要であった。また、接着の方法が強力であったりする場合は、ファインダユニット全て交換することになった。また組立作業中では、全ての構成部品の寸法ばらつきにより発生する視度のずれを、複数のＲ等の形状の違うファインダレンズ２を準備し、工程内で交換することで適切な視度に調整するようになっている場合が良くある。しかし、従来では最終的に接着固定するまで固定できない状況であるが、本実施例のように構成することで接着することなく取り付けができ、組立て分解が容易に行うことができる。また部品を接着すると、その接着剤が固まるまで乾燥時間を置かなければならず、その分工程が長くなりコストが上がるということにもなった。それに接着剤が組み立て中に間違って他の個所にくっついたりして不良の原因にもなっていた。本実施例の構成をとれば、以上の問題点を全て解決できる。
【００４９】
以上の構成をとることにより、部品を追加することなく、ファインダの構成部品をほぼ全て接着固定することなく保持することができるので、何か部品の問題があって交換する必要があった場合でも簡便に交換ができ、また接着のための時間延長や、不具合を無くすことができる。
【００５０】
本実施例ではデジタルカメラの例を示しているが、同様のファインダ構造を持つビデオカメラや銀塩フィルムを使用するアナログカメラ等でも同じ構成をとること組立て分解性に優れたファインダを提供できるようになる。
【産業上の利用可能性】
【００５１】
産業上利用できることは明らかであり、現在開発中です。
【図面の簡単な説明】
【００５２】
【図１】本発明の一実施例におけるファインダ構造の構成を示す斜視図である。
【図２】本発明の一実施例におけるファインダ構造の上面図である。
【図３】本発明の一実施例におけるファインダ構造の構成を示す分解斜視図である。
【図４】本発明の第二の実施例におけるファインダ構造の構成を示す斜視図である。
【図５】本発明の一実施例における絞り構造を有する撮影装置の電源ＯＮ状態の斜視図である。
【図６】本発明の一実施例における絞り構造を有する撮影装置の電源ＯＦＦ状態の斜視図である。
【図７】本発明の一実施例における絞り構造を有する撮影装置の電源ＯＮ状態の上面図である。
【図８】本発明の一実施例における絞り構造を有する撮影装置の底面図である。
【図９】本発明の一実施例における絞り構造を有する撮影装置の背面図である。
【図１０】本発明の一実施例における絞り構造を有する撮影装置であるデジタルカメラの構成の要部を示すブロック図である。
【符号の説明】
【００５３】
１    ファインダ光学保持手段
２    ファインダレンズ
２ａ  ファインダレンズ非保持手段
３    ファインダ光学系封鎖手段
３ａ  ファインダレンズ固定手段
３ｂ  プリズムレンズ固定手段
４    ファインダガイド軸
５    接眼レンズ保持手段
６    マスク
７    ファインダレンズ
８    ファインダレンズ
９    ファインダばね
１０    プリズムレンズ
１１    プリズムレンズ
１２    ファインダ視野マスク
１３    ファインダ接眼レンズ
１４    ファインダ光学系封鎖手段
１４ａ  ファインダレンズ保持手段
１４ｂ  ファインダガイド軸保持手段
１５    撮影レンズ鏡筒
１５ａ  第一レンズ群
１６    レリーズボタン
１７    ストロボ発光モードボタン
１８    測光測距センサ
１９    ファインダ
２０    デジタルカメラ
２１    赤目ランプ
２２    ストロボ
２３    バリア
２４    外部入出力端子取付部
２５    ストラップ保持手段
２６    三脚取り付け部
２７    カードバッテリーカバー
２８    ズームボタン
２９    操作ボタン
３０    ディスプレイ
３１    ズームモータ駆動手段
３２    フォーカス手段
３３    フォーカスモータ駆動手段
３４    シャッタ手段
３５    シャッタ駆動手段
３６    絞り手段
３７    絞り駆動手段
３８    アナログ信号処理手段
３９    撮像デバイス
４０    Ａ／Ｄ変換部
４１    デジタル信号処理手段
４２    メモリ
４３    圧縮伸張手段
４４    メモリーカードドライブ
４５    駆動回路
４６    バス
４７    ＲＯＭ
４８    ＣＰＵ
４９    ＲＡＭ
５０    バッテリー挿入部（不図示）
５１    ファインダ変倍手段
【図１】
2006047825.tif 000003
【図２】
2006047825.tif 000004
【図３】
2006047825.tif 000005
【図４】
2006047825.tif 000006
【図５】
2006047825.tif 000007
【図６】
2006047825.tif 000008
【図７】
2006047825.tif 000009
【図８】
2006047825.tif 000010
【図９】
2006047825.tif 000011
【図１０】
2006047825.tif 000012